(57)【要約】【課題】  回転、大回転等のスキーあるいはスノーボード等で使用されるポールにおいて、雪面上のポール高さが低い場合でも視認性が高く、かつ、旗の向きを固定することが可能な雪上競技用ポールを提供すること。【解決手段】  円柱形状を有し、雪面下に埋設する差込部１と、雪面上に配置される旗部３と、差込部１と旗部３とを接続するための曲げ変形可能な接続部２と、回転防止板１２とこの回転防止板１２を前記差込部１に固定するための固定部材１１とを有する回り防止部１０と、を備える。【選択図】        図１
0003155383.tif 000002
【実用新案登録請求の範囲】
【請求項１】
円柱形状を有し、雪面下に埋設される差込部と、
雪面上に配置される旗部と、
前記差込部と前記旗部とを接続するための曲げ変形可能な接続部と、
回転防止板とこの回転防止板を前記差込部に固定するための固定部材とを有する回り防止部と、
を備えることを特徴とする雪上競技用ポール。
【請求項２】
請求項１に記載の雪上競技用ポールにおいて、
前記固定部材は、前記差込部の外周形状に対応する円筒半割形状を有し、ネジにより前記差込部に固定される雪上競技用ポール。
【請求項３】
請求項１に記載の雪上競技用ポールにおいて、
前記固定部材は、前記差込部の外周形状に対応する筒形状を有し、当該固定部材に前記差込部を嵌入させることにより前記差込部に固定される雪上競技用ポール。
【請求項４】
請求項１乃至請求項３のいずれかに記載の雪上競技用ポールにおいて、
前記差込部は、その外周面にらせん状の凸部を有する雪上競技用ポール。
【請求項５】
請求項１乃至請求項４のいずれかに記載の雪上競技用ポールにおいて、
前記回転防止板は、三角形状を有し、その一辺が前記差込部の軸と同一平面となる位置に配置され、前記差込部の下部先端に向かう側の角が他の角より鋭角となる雪上競技用ポール。
【請求項６】
請求項１乃至請求項５のいずれかに記載の雪上競技用ポールにおいて、
前記接続部は、弾性を有するホース状部材である雪上競技用ポール。
【請求項７】
請求項１乃至請求項６のいずれかに記載の雪上競技用ポールにおいて、
前記旗部は、弾性を有する樹脂で形成される雪上競技用ポール。
【請求項８】
請求項７に記載の雪上競技用ポールにおいて、
前記弾性を有する樹脂は、ウレタンまたは発泡ポリエチレンである雪上競技用ポール。
【考案の詳細な説明】
【技術分野】
【０００１】
この考案は、回転、大回転等のスキーあるいはスノーボード等の雪上競技において使用される雪上競技用ポールに関する。
【背景技術】
【０００２】
回転、大回転等のスキー競技においては、滑走コースを規定するために、その先端に旗を備えるポール等が雪面上に立設されている。そして、競技者は、滑走速度の速さを競うスキー等競技において、最短距離でのコース取りを行うため、滑走コースを規定するポールの近くをポールを薙ぎ倒しながら滑走している。このような滑走技術に鑑み、競技者が競技中もしくは練習中に受けるポールとの接触による衝撃を緩和するため、競技者がポールに衝突したときにポールが逃げるようにする傾倒ヒンジを有する可倒式ポールが提案されている（特許文献１参照）。
【０００３】
しかし、このような可倒式ポールであっても、競技者がポールを薙ぎ倒して行くときの振動がポールの雪中に埋め込まれた部分に伝わる。そして、何度もポールが薙ぎ倒されていくうちに、ポールの埋設穴の径がポールの太さよりも大きくなり、ポール自体を雪面に支持することができなくなることがあった。このため、特許文献２に記載されたような、雪中に埋設してポールを支持する可倒式ポール用止め具が提案されている。
【先行技術文献】
【特許文献】
【０００４】
【特許文献１】特開平１０−１３７３８７号公報
【特許文献２】特開平１０−５７５４２号公報
【考案の概要】
【考案が解決しようとする課題】
【０００５】
このような可倒式ポールは、スキー等の競技においてはその雪面からの高さが１８００ｍｍ以上であることが推奨されているため、競技者は高速でポールに衝突するときの全身への衝撃に対して様々な専用のプロテクターを装着する必要がある。このように、滑走時の装備として専用のプロテクターが必要であると、スキースポーツとして一般に普及しにくいという問題がある。
【０００６】
また、専用のプロテクターがなくても、スキーやスノーボードの回転等の競技を行えるようにするため、ポールの高さを人のひざ下より低くすることが考えられるが、この場合には、ポール自体の視認性が悪く、また、ポールの先端に旗をつけても旗が回ってしまい視認性の悪さがあまり改善されないという問題もあった。
【０００７】
さらに、旗が回ってしまうことによる旗自体の視認性の悪さを改善し、かつ、布製の旗の旗面に掲載した広告等の視認性も高めるため、旗のポールに固定している側とは逆側の端部を、別の部材を用いて固定することなども考えられたが、逆にスキー板等が引っかかり転倒の原因となる可能性が高くなるという問題があった。
【０００８】
この考案は上記課題を解決するためになされたものであり、雪面上のポール高さが低い場合でも視認性が高く、かつ、旗の向きを固定することが可能な雪上競技用ポールを提供することを目的とする。
【課題を解決するための手段】
【０００９】
請求項１に記載の考案は、円柱形状を有し、雪面下に埋設される差込部と、雪面上に配置される旗部と、前記差込部と前記旗部とを接続するための曲げ変形可能な接続部と、回転防止板とこの回転防止板を前記差込部に固定するための固定部材とを有する回り防止部と、を備えることを特徴とする。
【００１０】
請求項２に記載の考案は、請求項１に記載の考案において、前記固定部材は、前記差込部の外周形状に対応する円筒半割形状を有し、ネジにより前記差込部に固定される。
【００１１】
請求項３に記載の考案は、請求項１に記載の考案において、前記固定部材は、前記差込部の外周形状に対応する筒形状を有し、当該固定部材に前記差込部を嵌入させることにより前記差込部に固定される。
【００１２】
請求項４に記載の考案は、請求項１乃至請求項３に記載の考案において、前記差込部は、その外周面にらせん状の凸部を有する。
【００１３】
請求項５に記載の考案は、請求項１乃至請求項４に記載の考案において、前記回転防止板は、三角形状を有し、その一辺が前記差込部の軸と同一平面となる位置に配置され、前記差込部の下部先端に向かう側の角が他の角より鋭角となる。
【００１４】
請求項６に記載の考案は、請求項１乃至請求項５に記載の考案において、前記接続部は、弾性を有するホース状部材である。
【００１５】
請求項７に記載の考案は、請求項１乃至請求項６に記載の考案において、前記旗部は、弾性を有する樹脂で形成される。
【００１６】
請求項８に記載の考案は、請求項７に記載の考案において、前記弾性を有する樹脂は、ウレタンまたは発泡ポリエチレンである。
【考案の効果】
【００１７】
請求項１乃至請求項８に記載の考案によれば、ポールを設置するときに雪面下に埋設する差込部に回り防止部を備えることにより、旗の向きを固定することが可能となり、視認性を向上させることができる。
【００１８】
請求項２および請求項３に記載の考案によれば、差込部に対して固定部材を容易に取り付けることができるため、差込部への回り防止部の配設位置を容易に変更できる。
【００１９】
請求項４および請求項５に記載の考案によれば、雪面下への埋設作業が容易に行うことができる。
【００２０】
請求項６に記載の考案によれば、接続部が弾性を有するホース状部材であることから、接続部を安価に作成することができ、また、金属を含むバネ状部材を使用した場合と比較して接触時の怪我を低減することができる。
【００２１】
請求項７に記載の考案によれば、旗部が弾性を有する樹脂で形成されるため、布製の旗のように風が吹いていないときに垂れ下がることがなく、風の有無にかかわらず、旗の形状および旗に付された宣伝広告等を視認することが可能となる。
【００２２】
請求項８に記載の考案によれば、旗部をウレタンまたは発泡ポリエチレンにより形成するため、雪上競技用ポール全体を軽量化することができるとともに、人が接触したときの衝撃も低減することができる。
【図面の簡単な説明】
【００２３】
【図１】この考案の第１実施形態に係る雪上競技用用ポールの正面図である。
【図２】この考案の第１実施形態に係る雪上競技用ポールの各部を説明するための分解図である。
【図３】この考案の第１実施形態に係る雪上競技用ポールにおける回り防止部１０の平面図である。
【図４】この考案の第２実施形態に係る雪上競技用ポールの正面図である。
【図５】この考案の第２実施形態に係る雪上競技用ポールにおける回り防止部３０の平面図である。
【考案を実施するための形態】
【００２４】
この考案の実施形態を図面を参照して説明する。図１は、この考案の第１実施形態に係る雪上競技用ポールの正面図である。図２は、この考案の第１実施形態に係る雪上競技用ポールの各部を説明するための分解図である。また、図３は、この考案の第１実施形態に係る雪上競技用ポールにおける回り防止部１０の平面図である。なお、図１に示す一点鎖線は、この実施形態に係る雪上競技用ポールを雪面に設置したときの雪面の位置を示す仮想線であって、紙面において一点鎖線より上側が雪面上であり、下側が雪面下（雪中）となる。
【００２５】
この雪上競技用ポールは、雪上競技用ポールを雪面に差し込んで設置するための差込部１と、雪面に差し込んで設置したときに雪面上に位置することになる旗部３と、差込部１と旗部３とを接続するための接続部２とを備える。
【００２６】
差込部１は、その先端が逆円錐状を有する円柱棒状体であって、その外周面に凸部４がらせん状に形成された形状を有する。これにより、踏み固められて硬くなった雪面においても、雪上競技用ポールを雪中に容易にねじ込むことができる。
【００２７】
また、差込部１には、図１に示すように、差込部１の上側よりであって、雪面への設置時において一点鎖線で示した雪面の位置よりやや下となる位置に回り防止部１０配設される。
【００２８】
この回り防止部１０は、図２および図３に示すように、差込部１の外周形状に対応する円筒半割形状の固定部材１１と、三角形状を有する回転防止板１２とを備える。
【００２９】
回転防止板１２は、直角三角形状を有し、差込部１に回り防止部１０を配設したときに、その一辺が図２に一点鎖線で示す差込部１の軸と同一平面となる位置に配置され、差込部１の下部先端に向かう側の角が他の角より鋭角となるように、図３に示す固定部材１１の円筒半割形状の円弧の頂点に沿って形成される。
【００３０】
なお、回り防止部１０は、固定部材１１と回転防止板１２を別々の部材として成形した後に、溶接または接着剤等によって組み合わせて構成してもよく、また、樹脂を一体成形することにより構成してもてもよい。
【００３１】
次に、差込部１への回り防止部１０の配設について説明する。この実施形態における差込部１と回り防止部１０は樹脂より構成され、この樹脂は、後述するホース状部材からなる接続部２よりも硬い素材である。そして、差込部１と回り防止部１０がこのような樹脂製であることから、差込部１への回り防止部１０の配設は、固定部材１１の予め位置決めしておいた位置にネジ１３をねじ込むことによって行う。ネジ１３をねじ込む位置は、図３に矢印で示すように固定部材１１の円筒半割形状の円弧の頂点を中心として対称となる位置であって、図２に示すように、固定部材１１の円弧辺端部から所定の距離だけ離れた位置の合計４箇所である。図３に示す矢印方向に向かってネジ１３をねじ込み、固定部材１１を差込部１に固定することで、差込部１に回り防止部１０が配設される。
【００３２】
接続部２は、図２に示すように、弾性を有するホース状部材を所定の長さに切断したものであり、その内部に貫通孔５を有する。貫通孔５の直径は、差込部１の円柱直径よりもやや小さく、接続部２の一端から貫通孔５に、差込部１の逆円錐状を有する先端とは逆側の円柱部分が押し込まれることにより、差込部１と接続部２とが密接に連結される。
【００３３】
旗部３は、発泡ポリエチレンからなる略三角形状の板状体であり、この三角形状の一辺に沿って、接続部２のホース状部材の外径よりやや小さい径を有する穴部６が形成されている。この穴部６に接続部２が挿入されたときに、旗素材の弾性力によって穴部６の内壁と接続部２の外周面とが隙間なく接することにより、旗部３を接続部２から抜けにくくしている。また、旗部３そのものが発泡ポリエチレンにより成形されたものであるため、布製の旗のように、風のないときに垂れ下がることがなく、常に旗の形状を保持することができる。
【００３４】
次に、この考案の第２実施形態に係る雪上競技用ポールについて説明する。図４は、この考案の第２実施形態に係る雪上競技用ポールの正面図である。図５は、この考案の第２実施形態に係る雪上競技用ポールにおける回り防止部３０の平面図である。なお、図中、上述した第１実施形態に係る雪上競技用ポールと同一の部材については、同一の符号を付し、詳細な説明は省略する。また、図４に示す一点鎖線は、この実施形態に係る雪上競技用ポールを雪面に設置したときの雪面の位置を示す仮想線であって、紙面において一点鎖線より上側が雪面上であり、下側が雪面下（雪中）となる。
【００３５】
この考案の第２実施形態に係る雪上競技用ポールは、第１実施形態に係る雪上競技用ポールにおける回り防止部１０に代えて、回り防止部３０を備える。この回り防止部３０は、円筒形状の固定部材３１と、三角形状の回転防止板３２を備える。
【００３６】
回転防止板３２は、直角三角形状を有し、差込部１に回り防止部３０を配設したときに、差込部１の下部先端に向かう側の角が他の角より鋭角となるように、その一辺が固定部材３１の円筒軸と同一平面上となる固定部材３１の円筒形状の外周面上に形成される。
【００３７】
固定部材３１の円筒内径は、差込部１の円柱径よりやや大きく、その円筒内壁は、差込部１の外周面にらせん状に形成された凸部４の先端と当接する。
【００３８】
なお、この実施形態における回り防止部３０は、上述した第１実施形態の場合と同様に、固定部材３１と回転防止板３２を別々の部材として成形した後に、溶接または接着剤等によって組み合わせて構成してもよく、また、樹脂を一体成形することにより構成してもてもよい
【００３９】
この回り防止部３０の差込部１への配設は、図５に示すように、固定部材３１における回転防止板３２が形成されている位置とは逆側の位置から、ネジ等を２箇所にねじ込んで固定部材３１を固定することにより行われる。なお、この実施形態における回り防止部３０では、固定部材３１の円筒内壁が差込部１の外周面にらせん状に形成された凸部４の先端と当接しているので、ネジ止めをしなくても差込部１の所定の位置に配設することは可能である。また、ネジ止めをしない状態でも、固定部材３１の円筒形状の壁面の肉厚を、その円筒形状の外周径が接続部２の外周径より大きくなる厚みとすることで、回り防止部３０が接続部２より上方にズレることを防止することができる。
【００４０】
なお、上述した第１実施形態および第２実施形態に係る雪上競技用ポールでは、回り防止部材１０および３０の差込部１への固定にネジを使用しているが、釘やその他の止め具、または、接着剤であってもよい。
【００４１】
また、上述した第１実施形態および第２実施形態に係る雪上競技用ポールでは、接続部２に変形可能な部材としてホース状部材を用いているが、可倒変形するバネ状弾性部材や弾性樹脂をヒンジ構造で連結した部材等を接続部として使用してもよい。
【符号の説明】
【００４２】
１    差込部
２    接続部
３    旗部
４    凸部
５    貫通孔
６    穴部
１０  回り防止部
１１  固定部材
１２  回転防止板
１３  ネジ
２０  雪上競技用ポール
３０  回り防止部
３１  固定部材
３２  回転防止板
３３  穴部
【図１】
0003155383.tif 000003
【図２】
0003155383.tif 000004
【図３】
0003155383.tif 000005
【図４】
0003155383.tif 000006
【図５】
0003155383.tif 000007